(57)【要約】【課題】透析液をプライミング液として使用することでプライミング工程の自動化を図り易くすることができ、かつ、プライミングを短時間で行わせることができるとともに、血液浄化膜の洗浄をより確実に行わせることができる血液浄化装置及びそのプライミング方法を提供する。【解決手段】血液を浄化するための中空糸膜Ｍを介して患者の血液が流れる血液流路α及び透析液が流れる透析液流路βが形成されたダイアライザ３と、ダイアライザ３の透析液流路αの入口及び出口に接続された透析液導入ラインＬ１及び透析液排出ラインＬ２とを具備し、治療前のプライミング時、動脈側血液回路１及び静脈側血液回路２の先端を接続可能とされた血液浄化装置において、プライミング時、ダイアライザ３の中空糸膜Ｍを介して血液流路αから透析液流路βに透析液を濾過させる正濾過工程を行わせる制御手段１１を具備したものである。【選択図】図１
2013248334.tif 000002
【特許請求の範囲】
【請求項１】
動脈側血液回路及び静脈側血液回路から成るとともに、当該動脈側血液回路の先端から静脈側血液回路の先端まで患者の血液を体外循環させ得る血液回路と、
該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、
該血液浄化手段の透析液流路の入口及び出口に接続された透析液導入ライン及び透析液排出ラインと、
を具備した血液浄化装置において、
プライミング時、前記血液浄化手段の血液浄化膜を介して前記血液流路から透析液流路に透析液を濾過させる正濾過工程を行わせる制御手段を具備したことを特徴とする血液浄化装置。
【請求項２】
前記血液浄化手段の血液浄化膜は、内部が血液流路かつ外部が透析液流路とされるとともに、外周面と内周面とを貫通した微小な孔が多数形成された中空糸膜から成ることを特徴とする請求項１記載の血液浄化装置。
【請求項３】
前記動脈側血液回路に配設された血液ポンプと、
前記透析液導入ライン又は透析液排出ラインに配設され、当該透析液導入ライン及び透析液排出ラインにて透析液を送液させるための透析液用ポンプと、
前記血液回路、透析液導入ライン又は透析液排出ラインの所定部位に配設され、当該所定部位の流路を任意に閉塞又は開放可能な弁手段と、
を具備するとともに、前記制御手段は、前記血液ポンプ又は透析液用ポンプの駆動、及び前記弁手段の開閉動作を制御して前記正濾過工程を行わせ得ることを特徴とする請求項１又は請求項２記載の血液浄化装置。
【請求項４】
前記透析液導入ライン又は透析液排出ラインと前記血液回路とを連結する連結ラインが接続されるとともに、前記制御手段は、前記正濾過工程時、当該連結ラインを介して前記透析液導入ライン又は透析液排出ラインの透析液を前記血液回路に供給可能とされたことを特徴とする請求項１〜３の何れか１つに記載の血液浄化装置。
【請求項５】
前記制御手段は、プライミング時、前記正濾過工程に加え、前記血液浄化手段の血液浄化膜を介して前記透析液流路から血液流路に透析液を濾過させる逆濾過工程を行わせることを特徴とする請求項１〜４の何れか１つに記載の血液浄化装置。
【請求項６】
前記制御手段は、プライミング時、前記正濾過工程と逆濾過工程とを交互に繰り返し行わせることを特徴とする請求項５記載の血液浄化装置。
【請求項７】
前記制御手段によって行われる正濾過工程の濾過タイミングに応じて、所定量の透析液を収容させるとともに、その収容した透析液を吐出させ得るバッファ手段を具備したことを特徴とする請求項６記載の血液浄化装置。
【請求項８】
動脈側血液回路及び静脈側血液回路から成るとともに、当該動脈側血液回路の先端から静脈側血液回路の先端まで患者の血液を体外循環させ得る血液回路と、
該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、
該血液浄化手段の透析液流路の入口及び出口に接続された透析液導入ライン及び透析液排出ラインと、
を具備した血液浄化装置のプライミング方法において、
プライミング時、前記血液浄化手段の血液浄化膜を介して前記血液流路から透析液流路に透析液を濾過させる正濾過工程を行わせることを特徴とする血液浄化装置のプライミング方法。
【請求項９】
前記血液浄化手段の血液浄化膜は、内部が血液流路かつ外部が透析液流路とされるとともに、外周面と内周面とを貫通した微小な孔が多数形成された中空糸膜から成ることを特徴とする請求項８記載の血液浄化装置のプライミング方法。
【請求項１０】
前記動脈側血液回路に配設された血液ポンプと、
前記透析液導入ライン又は透析液排出ラインに配設され、当該透析液導入ライン及び透析液排出ラインにて透析液を送液させるための透析液用ポンプと、
前記血液回路、透析液導入ライン又は透析液排出ラインの所定部位に配設され、当該所定部位の流路を任意に閉塞又は開放可能な弁手段と、
を具備するとともに、前記血液ポンプ又は透析液用ポンプの駆動、及び前記弁手段の開閉動作を制御して前記正濾過工程を行わせることを特徴とする請求項８又は請求項９記載の血液浄化装置のプライミング方法。
【請求項１１】
前記透析液導入ライン又は透析液排出ラインと前記血液回路とを連結する連結ラインが接続されるとともに、前記正濾過工程時、当該連結ラインを介して前記透析液導入ライン又は透析液排出ラインの透析液を前記血液回路に供給することを特徴とする請求項８〜１０の何れか１つに記載の血液浄化装置のプライミング方法。
【請求項１２】
プライミング時、前記正濾過工程に加え、前記血液浄化手段の血液浄化膜を介して前記透析液流路から血液流路に透析液を濾過させる逆濾過工程を行わせることを特徴とする請求項８〜１１の何れか１つに記載の血液浄化装置のプライミング方法。
【請求項１３】
プライミング時、前記正濾過工程と逆濾過工程とを交互に繰り返し行わせることを特徴とする請求項１２記載の血液浄化装置のプライミング方法。
【請求項１４】
前記正濾過工程の濾過タイミングに応じて、所定量の透析液を収容させるとともに、その収容した透析液を吐出させ得るバッファ手段を具備したことを特徴とする請求項１３記載の血液浄化装置のプライミング方法。
【発明の詳細な説明】
【技術分野】
【０００１】
本発明は、ダイアライザを使用した透析治療など、患者の血液を体外循環させつつ浄化するための血液浄化装置及びそのプライミング方法に関するものである。
【背景技術】
【０００２】
一般に、透析治療時においては、採取した患者の血液を体外循環させて再び体内に戻すための血液回路が用いられており、かかる血液回路は、例えば中空糸膜（血液浄化膜）を具備したダイアライザ（血液浄化手段）と接続し得る動脈側血液回路及び静脈側血液回路から主に構成されている。これら動脈側血液回路及び静脈側血液回路の各先端には、動脈側穿刺針及び静脈側穿刺針が取り付けられ、それぞれが患者に穿刺されて透析治療における血液の体外循環が行われることとなる。
【０００３】
そして、透析治療の前には、通常、生理食塩液等のプライミング液を血液回路内に供給して充填させることにより、当該血液回路内を洗浄する「プライミング」と称される工程が行われる。従来のプライミング方法として、例えば特許文献１にて開示されているように、ダイアライザの中空糸膜（血液浄化膜）を介して透析液流路（中空糸膜の外側）から血液流路（中空糸膜の内側）に透析液を濾過させる逆濾過工程を行わせ、その濾過した透析液をプライミング液として血液回路内に充填させる方法が挙げられる。
【先行技術文献】
【特許文献】
【０００４】
【特許文献１】特開２００４−１６６１９号公報
【発明の概要】
【発明が解決しようとする課題】
【０００５】
上記従来の血液浄化装置においては以下の如き問題があった。
ダイアライザが具備する血液浄化膜（中空糸膜）には、通常、外周面と内周面とを貫通した微小な孔が多数形成されており、当該微小な孔によって治療時の血液の濾過がなされるようになっている。一方、血液浄化膜（中空糸膜）には、中空糸膜を保護するための種々の保護剤（例えば、膜の親水化剤としてのＰＶＰ（ポリビニルピロリドン）や膜の凍結防止のための保湿剤としてのグリセリン等）が塗布されており、微小な孔の開口縁部（孔の内周面）にも、これら保護剤が塗布された状態となっている。
【０００６】
したがって、プライミング工程において、中空糸膜の内部（血液流路）及び外部（透析液流路）にプライミング液を単に流通させるものの場合、中空糸膜の内周面（血液流路）及び外周面（透析液流路）に付着した上記保護剤を除去することができるものの、微小な孔の開口縁部の上記保護剤を除去するのは困難となってしまう。しかるに、上記従来技術によれば、プライミング時、中空糸膜を介して透析液流路（中空糸膜の外側）から血液流路（中空糸膜の内側）に透析液を濾過させる逆濾過工程を行わせるので、透析液と共に微小な孔の開口縁部の保護剤も血液回路側に至らせることができる。
【０００７】
しかしながら、上記従来技術の如きプライミングによれば、中空糸膜を介して透析液流路（中空糸膜の外側）から血液流路（中空糸膜の内側）に透析液を逆濾過させ、透析液と共に保護剤を血液回路側に移動させているので、血液回路内に移動した保護剤を当該血液回路の外部に排出させる必要がある。この場合、例えば血液回路に接続されたオーバーフローライン等から透析液と共に保護剤を排出させる必要があるので、プライミングのための透析液の使用量が多くなってしまうとともにプライミング時間が長くなってしまうという不具合がある。
【０００８】
本発明は、このような事情に鑑みてなされたもので、透析液をプライミング液として使用することでプライミング工程の自動化を図り易くすることができ、かつ、プライミングを短時間で行わせることができるとともに、血液浄化膜の洗浄をより確実に行わせることができる血液浄化装置及びそのプライミング方法を提供することにある。
【課題を解決するための手段】
【０００９】
請求項１記載の発明は、動脈側血液回路及び静脈側血液回路から成るとともに、当該動脈側血液回路の先端から静脈側血液回路の先端まで患者の血液を体外循環させ得る血液回路と、該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、該血液浄化手段の透析液流路の入口及び出口に接続された透析液導入ライン及び透析液排出ラインとを具備した血液浄化装置において、プライミング時、前記血液浄化手段の血液浄化膜を介して前記血液流路から透析液流路に透析液を濾過させる正濾過工程を行わせる制御手段を具備したことを特徴とする。
【００１０】
請求項２記載の発明は、請求項１記載の血液浄化装置において、前記血液浄化手段の血液浄化膜は、内部が血液流路かつ外部が透析液流路とされるとともに、外周面と内周面とを貫通した微小な孔が多数形成された中空糸膜から成ることを特徴とする。
【００１１】
請求項３記載の発明は、請求項１又は請求項２記載の血液浄化装置において、前記動脈側血液回路に配設された血液ポンプと、前記透析液導入ライン又は透析液排出ラインに配設され、当該透析液導入ライン及び透析液排出ラインにて透析液を送液させるための透析液用ポンプと、前記血液回路、透析液導入ライン又は透析液排出ラインの所定部位に配設され、当該所定部位の流路を任意に閉塞又は開放可能な弁手段とを具備するとともに、前記制御手段は、前記血液ポンプ又は透析液用ポンプの駆動、及び前記弁手段の開閉動作を制御して前記正濾過工程を行わせ得ることを特徴とする。
【００１２】
請求項４記載の発明は、請求項１〜３の何れか１つに記載の血液浄化装置において、前記透析液導入ライン又は透析液排出ラインと前記血液回路とを連結する連結ラインが接続されるとともに、前記制御手段は、前記正濾過工程時、当該連結ラインを介して前記透析液導入ライン又は透析液排出ラインの透析液を前記血液回路に供給可能とされたことを特徴とする。
【００１３】
請求項５記載の発明は、請求項１〜４の何れか１つに記載の血液浄化装置において、前記制御手段は、プライミング時、前記正濾過工程に加え、前記血液浄化手段の血液浄化膜を介して前記透析液流路から血液流路に透析液を濾過させる逆濾過工程を行わせることを特徴とする。
【００１４】
請求項６記載の発明は、請求項５記載の血液浄化装置において、前記制御手段は、プライミング時、前記正濾過工程と逆濾過工程とを交互に繰り返し行わせることを特徴とする。
【００１５】
請求項７記載の発明は、請求項６記載の血液浄化装置において、前記制御手段によって行われる正濾過工程の濾過タイミングに応じて、所定量の透析液を収容させるとともに、その収容した透析液を吐出させ得るバッファ手段を具備したことを特徴とする。
【００１６】
請求項８記載の発明は、動脈側血液回路及び静脈側血液回路から成るとともに、当該動脈側血液回路の先端から静脈側血液回路の先端まで患者の血液を体外循環させ得る血液回路と、該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、該血液浄化手段の透析液流路の入口及び出口に接続された透析液導入ライン及び透析液排出ラインとを具備した血液浄化装置のプライミング方法において、プライミング時、前記血液浄化手段の血液浄化膜を介して前記血液流路から透析液流路に透析液を濾過させる正濾過工程を行わせることを特徴とする。
【００１７】
請求項９記載の発明は、請求項８記載の血液浄化装置のプライミング方法において、前記血液浄化手段の血液浄化膜は、内部が血液流路かつ外部が透析液流路とされるとともに、外周面と内周面とを貫通した微小な孔が多数形成された中空糸膜から成ることを特徴とする。
【００１８】
請求項１０記載の発明は、請求項８又は請求項９記載の血液浄化装置のプライミング方法において、前記動脈側血液回路に配設された血液ポンプと、前記透析液導入ライン又は透析液排出ラインに配設され、当該透析液導入ライン及び透析液排出ラインにて透析液を送液させるための透析液用ポンプと、前記血液回路、透析液導入ライン又は透析液排出ラインの所定部位に配設され、当該所定部位の流路を任意に閉塞又は開放可能な弁手段とを具備するとともに、前記血液ポンプ又は透析液用ポンプの駆動、及び前記弁手段の開閉動作を制御して前記正濾過工程を行わせることを特徴とする。
【００１９】
請求項１１記載の発明は、請求項８〜１０の何れか１つに記載の血液浄化装置のプライミング方法において、前記透析液導入ライン又は透析液排出ラインと前記血液回路とを連結する連結ラインが接続されるとともに、前記正濾過工程時、当該連結ラインを介して前記透析液導入ライン又は透析液排出ラインの透析液を前記血液回路に供給することを特徴とする。
【００２０】
請求項１２記載の発明は、請求項８〜１１の何れか１つに記載の血液浄化装置のプライミング方法において、プライミング時、前記正濾過工程に加え、前記血液浄化手段の血液浄化膜を介して前記透析液流路から血液流路に透析液を濾過させる逆濾過工程を行わせることを特徴とする。
【００２１】
請求項１３記載の発明は、請求項１２記載の血液浄化装置のプライミング方法において、プライミング時、前記正濾過工程と逆濾過工程とを交互に繰り返し行わせることを特徴とする。
【００２２】
請求項１４記載の発明は、請求項１３記載の血液浄化装置のプライミング方法において、前記正濾過工程の濾過タイミングに応じて、所定量の透析液を収容させるとともに、その収容した透析液を吐出させ得るバッファ手段を具備したことを特徴とする。
【発明の効果】
【００２３】
請求項１、８の発明によれば、プライミング時、血液浄化手段の血液浄化膜を介して血液流路から透析液流路に透析液を濾過させる正濾過工程を行わせるので、透析液をプライミング液として使用することでプライミング工程の自動化を図り易くすることができ、かつ、プライミングを短時間で行わせることができるとともに、血液浄化膜の洗浄をより確実に行わせることができる。
【００２４】
請求項２、９の発明によれば、血液浄化手段の血液浄化膜は、内部が血液流路かつ外部が透析液流路とされるとともに、外周面と内周面とを貫通した微小な孔が多数形成された中空糸膜から成るので、当該中空糸膜の洗浄をより確実に行わせることができる。
【００２５】
請求項３、１０の発明によれば、血液ポンプ又は透析液用ポンプの駆動、及び弁手段の開閉動作を制御して正濾過工程を行わせるので、プライミング工程の自動化をより容易に図ることができる。
【００２６】
請求項４、１１の発明によれば、正濾過工程時、連結ラインを介して透析液導入ライン又は透析液排出ラインの透析液を血液回路に供給するので、プライミング時、透析液を用いた正濾過（血液流路から透析液流路への濾過）を円滑かつ確実に行わせることができる。
【００２７】
請求項５、１２の発明によれば、プライミング時、正濾過工程に加え、血液浄化手段の血液浄化膜を介して透析液流路から血液流路に透析液を濾過させる逆濾過工程を行わせるので、正濾過工程と逆濾過工程とで血液浄化膜に対する透析液の濾過方向を異ならせることができ、当該血液浄化膜に形成された微小な孔の洗浄をより確実に行わせることができるとともに、当該微小な孔内の空気を確実に除去させることができる。
【００２８】
請求項６、１３の発明によれば、プライミング時、正濾過工程と逆濾過工程とを交互に繰り返し行わせるので、血液浄化膜に形成された微小な孔の洗浄を繰り返し行わせることができ、より一層確実に行わせることができるとともに、当該微小な孔内の空気をより確実に除去させることができる。
【００２９】
請求項７、１４の発明によれば、正濾過工程の濾過タイミングに応じて、所定量の透析液を収容させるとともに、その収容した透析液を吐出させ得るバッファ手段を具備したので、透析液用ポンプ等の駆動を一定に保ちつつ、当該バッファ手段の作用によって、正濾過工程と逆濾過工程とを交互に繰り返し行わせることができる。
【図面の簡単な説明】
【００３０】
【図１】本発明の第１の実施形態に係る血液浄化装置を示す模式図
【図２】同血液浄化装置における血液浄化手段（ダイアライザ）を示す模式図
【図３】同血液浄化装置におけるプライミング時（正濾過工程）の状態を示す模式図
【図４】同血液浄化装置におけるプライミング時（逆濾過工程）の状態を示す模式図
【図５】同血液浄化装置における制御手段による制御を示すフローチャート
【図６】本発明の第２の実施形態に係る血液浄化装置におけるプライミング時（正濾過工程）の状態を示す模式図
【図７】同血液浄化装置におけるプライミング時（逆濾過工程）の状態を示す模式図
【図８】同血液浄化装置における制御手段による制御を示すフローチャート
【図９】本発明の第３の実施形態に係る血液浄化装置におけるプライミング時（正濾過工程）の状態を示す模式図
【図１０】同血液浄化装置におけるプライミング時（逆濾過工程）の状態を示す模式図
【図１１】同血液浄化装置における制御手段による制御を示すフローチャート
【図１２】本発明の第４の実施形態に係る血液浄化装置におけるプライミング時の状態を示す模式図
【図１３】同血液浄化装置における制御手段による制御を示すフローチャート
【図１４】本発明の第５の実施形態に係る血液浄化装置におけるプライミング時（正濾過工程）の状態を示す模式図
【図１５】同血液浄化装置におけるプライミング時（逆濾過工程）の状態を示す模式図
【図１６】同血液浄化装置における制御手段による制御を示すフローチャート
【発明を実施するための形態】
【００３１】
以下、本発明の実施形態について図面を参照しながら具体的に説明する。
第１の実施形態に係る血液浄化装置は、血液透析治療を行うための透析装置から成り、図１に示すように、動脈側血液回路１及び静脈側血液回路２から成る血液回路と、動脈側血液回路１及び静脈側血液回路２の間に介装されて血液回路を流れる血液を浄化するダイアライザ３（血液浄化手段）と、動脈側血液回路１に配設されたしごき型の血液ポンプ４と、動脈側血液回路１に接続された動脈側エアトラップチャンバ５と、静脈側血液回路２に接続された静脈側エアトラップチャンバ６と、複式ポンプ７（透析液用ポンプ）と、制御手段１１とから主に構成されている。
【００３２】
動脈側血液回路１には、その先端にコネクタａを介して動脈側穿刺針（不図示）が接続されるとともに、途中にしごき型の血液ポンプ４及び動脈側エアトラップチャンバ５が配設されている一方、静脈側血液回路２には、その先端にコネクタｂを介して静脈側穿刺針（不図示）が接続されるとともに、途中に静脈側エアトラップチャンバ６が接続されている。
【００３３】
そして、動脈側穿刺針及び静脈側穿刺針を患者に穿刺した状態で、血液ポンプ４を駆動させると、患者の血液は、動脈側エアトラップチャンバ５で除泡がなされつつ動脈側血液回路１を通ってダイアライザ３に至った後、該ダイアライザ３によって血液浄化が施され、静脈側エアトラップチャンバ６で除泡がなされつつ静脈側血液回路２を通って患者の体内に戻る。しかして、患者の血液を血液回路の動脈側血液回路１の先端から静脈側血液回路２の先端まで体外循環させつつダイアライザ３にて浄化するのである。
【００３４】
静脈側エアトラップチャンバ６には、その上部（空気層側）から延びて先端が大気開放とされたオーバーフローラインＬ７が延設されており、当該静脈側エアトラップチャンバ６をオーバーフローした液体（本実施形態においては、透析液から成るプライミング液）を外部に排出させ得るよう構成されている。このオーバーフローラインＬ７には、電磁弁Ｖ９が配設されており、当該オーバーフローラインＬ７の流路を任意に閉塞又は開放可能とされている。
【００３５】
しかるに、治療前のプライミング時、動脈側血液回路１の先端のコネクタａと静脈側血液回路先端２の先端のコネクタｂとを接続して当該動脈側血液回路１と静脈側血液回路２とを連通可能とされている。このような連通状態においては、血液回路はプライミング液（透析液）を循環可能な閉回路とされており、電磁弁Ｖ９を開状態とすることにより、オーバーフローラインＬ７を開放させて、血液回路の内部のプライミング液（透析液）を外部に排出可能とされている。
【００３６】
ダイアライザ３は、その筐体部に、血液導入口３ａ（血液導入ポート）、血液導出口３ｂ（血液導出ポート）、透析液導入口３ｃ（透析液流路入口：透析液導入ポート）及び透析液導出口３ｄ（透析液流路出口：透析液導出ポート）が形成されており、このうち血液導入口３ａには動脈側血液回路１の基端部が、血液導出口３ｂには静脈側血液回路２の基端部がそれぞれ接続されている。また、透析液導入口３ｃ及び透析液導出口３ｄは、透析装置本体から延設された透析液導入ラインＬ１及び透析液排出ラインＬ２とそれぞれ接続されている。
【００３７】
ダイアライザ３内には、図２に示すように、複数の中空糸膜Ｍが収容されており、この中空糸膜が血液を浄化するための血液浄化膜を構成している。より具体的には、かかる中空糸膜Ｍは、内部が血液流路αかつ外部（中空糸膜Ｍの外周面と筐体を構成するケースＣの内周面との間に形成された流路）が透析液流路βとされるとともに、当該中空糸膜Ｍの外周面と内周面とを貫通した微小な孔（ポア）が多数形成されている。
【００３８】
しかして、中空糸膜Ｍを介して患者の血液が流れる血液流路α及び透析液が流れる透析液流路βが形成されているのである。そして、動脈側血液回路１を流れた血液は、血液流路αを通過して静脈側血液回路２に至るとともに、透析液導入ラインＬ１を流れた透析液は、透析液流路βを通過して透析液排出ラインＬ２に至るものとされ、当該中空糸膜Ｍを介して血液中の不純物等が透析液内に濾過し得るよう構成されている。
【００３９】
複式ポンプ７（透析液用ポンプ）は、透析装置本体内で透析液導入ラインＬ１及び透析液排出ラインＬ２に跨って配設され、透析液を送液させるためのポンプから成るとともに、当該透析装置本体には、ダイアライザ３中を流れる患者の血液から水分を除去するための除水ポンプ８が配設されている。なお、透析液導入ラインＬ１の一端は、ダイアライザ３（透析液導入口３ｃ）に接続されるとともに、他端は、所定濃度の透析液を調製する透析液供給装置（不図示）に接続されている。
【００４０】
なお、透析液導入ラインＬ１における複式ポンプ７（吸入側）とダイアライザ３との間には、透析液を清浄化するための濾過フィルタ９ａ、９ｂ、及び連結ラインＬ８の基端が取付可能な採取ポート１０がそれぞれ接続されている。また、濾過フィルタ９ａ、９ｂと透析液排出ラインＬ２との間には、バイパスラインＬ５、Ｌ６が連結されており、当該バイパスラインＬ５、Ｌ６には、流路を閉塞又は開放可能な電磁弁Ｖ６、Ｖ７がそれぞれ配設されている。
【００４１】
さらに、透析液排出ラインＬ２の一端は、ダイアライザ３（透析液導出口３ｄ）に接続されるとともに、他端が図示しない排液手段と接続されており、透析液供給装置から供給された透析液が透析液導入ラインＬ１を通ってダイアライザ３の透析液流路βに至った後、透析液排出ラインＬ２を通って排液手段に送られるようになっている。また、透析液排出ラインＬ２には、複式ポンプ７（吐出側）を迂回するバイパスラインＬ３、Ｌ４が接続されている。そして、バイパスラインＬ３には、除水ポンプ８が配設されるとともに、バイパスラインＬ４には、流路を閉塞又は開放可能な電磁弁Ｖ５が配設されている。
【００４２】
また、透析液導入ラインＬ１及び透析液排出ラインＬ２における一端側（ダイアライザ３との接続端側）には、それぞれ電磁弁Ｖ３、Ｖ４が配設されており、ダイアライザ３に導入又は排出される透析液の流路を閉塞又は開放可能とされている。一方、動脈側血液回路１の先端側（コネクタａ近傍）及び静脈側血液回路２の先端側（コネクタｂ近傍）には、流路を閉塞又は開放し得る電磁弁Ｖ１及びＶ２がそれぞれ接続されている。
【００４３】
連結ラインＬ８は、基端が透析液導入ラインＬ１の採取ポート１０に取り付けられて接続されるとともに、先端が動脈側血液回路１における電磁弁Ｖ１と血液ポンプ４との間の部位に接続されている。すなわち、連結ラインＬ８は、透析液導入ラインＬ１と動脈側血液回路１とを連結する流路から成り、当該連結ラインＬ８を介して透析液導入ラインＬ１の透析液を血液回路（動脈側血液回路１）に供給可能とされているのである。
【００４４】
本実施形態に係る連結ラインＬ８は、透析液導入ラインＬ１と動脈側血液回路１とを連結する流路とされているが、これに代えて、透析液導入ラインＬ１と静脈側血液回路２とを連結する流路、又は透析液排出ラインＬ２と動脈側血液回路１若しくは静脈側血液回路２とを連結する流路であってもよい。なお、本実施形態に係る連結ラインＬ８の先端側（動脈側血液回路１との接続部位近傍）には、流路を閉塞又は開放し得る電磁弁Ｖ８が配設されている。
【００４５】
しかして、電磁弁Ｖ１〜Ｖ９は、開閉動作により、配設された所定部位における流路を任意に閉塞又は開放し得る弁手段を構成するものであり、その開閉動作がマイコン等から成る制御手段１１にて制御されるよう構成されている。また、制御手段１１は、血液ポンプ４及び複式ポンプ７の駆動制御手段と電気的にそれぞれ接続されており、当該血液ポンプ４及び複式ポンプ７の駆動を制御することが可能とされている。かかる制御手段１１により、透析治療やプライミング時、任意の構成部品に対して必要な制御が行われ得るようになっている。
【００４６】
ここで、本実施形態に係る制御手段１１は、血液ポンプ４又は複式ポンプ７の駆動、及び弁手段（電磁弁Ｖ１〜Ｖ９）の開閉動作を制御することにより、プライミング時、ダイアライザ３の中空糸膜Ｍ（血液浄化膜）を介して血液流路αから透析液流路βに透析液を濾過させる正濾過工程と、ダイアライザ３の中空糸膜Ｍ（血液浄化膜）を介して透析液流路βから血液流路αに透析液を濾過させる逆濾過工程とを行わせるものとされている。
【００４７】
より具体的に説明すると、正濾過工程においては、制御手段１１による制御で、図３に示すように、電磁弁Ｖ３、Ｖ４、Ｖ８を開状態、その他の電磁弁（Ｖ１、Ｖ２、Ｖ５〜Ｖ７、Ｖ９）を閉状態とするとともに、複式ポンプ７を駆動させつつ血液ポンプ４を正転駆動（治療時と同一方向の駆動）させる。これにより、透析液導入ラインＬ１における透析液の一部（血液ポンプ４による流量分）が連結ラインＬ８を介して血液回路（動脈側血液回路１）に供給されることとなる。
【００４８】
しかるに、複式ポンプ７は、透析液導入ラインＬ１との接続部（吸入側）を流れる透析液と、透析液排出ラインＬ２との接続部（吐出側）を流れる透析液とが等量となるよう駆動される構成とされており、かつ、閉回路とされた血液回路内に透析液導入ラインＬ１側の透析液が供給されることにより、血液流路αが透析液流路βに対して正圧となる。しかして、血液ポンプ４の正転駆動による流量と略等しい透析液が、ダイアライザ３の中空糸膜Ｍ（血液浄化膜）を介して血液流路αから透析液流路βに濾過（正濾過）されることとなる。これにより、血液流路α及び透析液流路β内の保護剤に加え、ダイアライザ３の中空糸膜Ｍにおける微小な孔（ポア）の開口縁部（孔の内周面を含む）に塗布されていた保護剤もプライミング液としての透析液と共に透析液排出ラインＬ２に排出して除去することができる。
【００４９】
また、逆濾過工程においては、制御手段１１による制御で、図４に示すように、電磁弁Ｖ３、Ｖ４、Ｖ８を開状態、その他の電磁弁（Ｖ１、Ｖ２、Ｖ５〜Ｖ７、Ｖ９）を閉状態とする（正濾過工程時の状態を維持する）とともに、複式ポンプ７を駆動させつつ血液ポンプ４を逆転駆動（治療時と逆方向の駆動）させる。これにより、血液回路内のプライミング液（本実施形態においては透析液）が連結ラインＬ８を介して透析液導入ラインＬ１に供給されることとなる。
【００５０】
しかるに、複式ポンプ７は、透析液導入ラインＬ１との接続部（吸入側）を流れる透析液と、透析液排出ラインＬ２との接続部（吐出側）を流れる透析液とが等量となるよう駆動される構成とされており、かつ、閉回路とされた血液回路内の透析液が透析液導入ラインＬ１側に供給されることにより、血液流路αが透析液流路βに対して正圧となる。しかして、血液ポンプ４の逆転駆動による流量と略等しい透析液が、ダイアライザ３の中空糸膜Ｍ（血液浄化膜）を介して透析液流路βから血液流路αに濾過（逆濾過）されることとなる。これにより、プライミング時、ダイアライザ３の中空糸膜Ｍにおける微小な孔（ポア）に対し、正濾過時とは逆方向の流れで透析液を流通させることができる。
【００５１】
次に、第１の実施形態に係る制御手段１１の制御について、図５のフローチャートに基づいて説明する。
治療前のプライミング時、先ず、動脈側血液回路１の先端のコネクタａと静脈側血液回路２の先端のコネクタｂとを接続して互いの流路を連通させる。そして、複式ポンプ７や血液ポンプ４等の駆動により、連結ラインＬ８を介して透析液導入ラインＬ１の透析液を血液回路に供給させて、当該血液回路及びダイアライザ３の血液流路αに対して透析液を充填させ、続いて、ダイアライザ３の透析液流路βに対しても透析液を充填させる。
【００５２】
なお、血液回路及びダイアライザ３の血液流路αに対する透析液の供給及び充填は、連結ラインＬ８を介して透析液を供給するものに限らず、例えばダイアライザ３の中空糸膜Ｍを逆濾過させた透析液を供給及び充填させるものとしてもよい。また、例えば動脈側血液回路１における血液ポンプ４と電磁弁Ｖ１との間にプライミング液としての生理食塩液を供給可能な収容バッグを備え、当該生理食塩液を血液回路に充填させるようにしてもよい。
【００５３】
その後、制御手段１１による制御で、図３に示すように、電磁弁Ｖ３、Ｖ４、Ｖ８を開状態、その他の電磁弁（Ｖ１、Ｖ２、Ｖ５〜Ｖ７、Ｖ９）を閉状態とするとともに、複式ポンプ７を駆動させつつ血液ポンプ４を正転駆動（治療時と同一方向の駆動）させることにより、ダイアライザ３の中空糸膜Ｍ（血液浄化膜）を介して血液流路αから透析液流路βに透析液を濾過する正濾過工程が行われる（Ｓ１）。
【００５４】
そして、上記の如き正濾過が所定時間行われたか否か、或いは血液ポンプ４が所定回転したか否かが判定され（Ｓ２）、所定時間経過又は所定回転したと判定されると、Ｓ３へ進む。かかるＳ３においては、制御手段１１による制御で、図４に示すように、電磁弁Ｖ１〜Ｖ９の開閉状態を維持するとともに、複式ポンプ７を駆動させつつ血液ポンプ４を逆転駆動（治療時と逆方向の駆動）させることにより、ダイアライザ３の中空糸膜Ｍ（血液浄化膜）を介して透析液を透析液流路βから血液流路αに濾過する逆濾過工程が行われる。
【００５５】
その後、上記の如き逆濾過が所定時間行われたか否か、或いは血液ポンプ４が所定回転したか否かが判定され（Ｓ４）、所定時間経過又は所定回転したと判定されると、Ｓ５へ進む。かかるＳ５においては、正濾過工程Ｓ１及び逆濾過工程Ｓ３が所定回数行われたか否か判定され、所定回数行われていないと判定されると、Ｓ１に戻って正濾過工程及び逆濾過工程が再び行われるとともに、所定回数行われたと判定されると、一連のプライミングを終了させる。これにより、プライミング時、正濾過工程Ｓ１と逆濾過工程Ｓ３とが、所定回数、交互に繰り返し行われることとなる。
【００５６】
上記実施形態においては、プライミング時、正濾過工程Ｓ１に加え、逆濾過工程Ｓ３を行うものとされているが、正濾過工程Ｓ１のみを行うものとし、逆濾過工程Ｓ３を行わないものとしてもよい。また、上記実施形態においては、正濾過工程Ｓ１と逆濾過工程Ｓ３とが所定回数繰り返し行われるものとされているが、正濾過工程Ｓ１及び逆濾過工程Ｓ３が１回ずつ行われるものとしてもよい。
【００５７】
次に、本発明の第２の実施形態に係る血液浄化装置について説明する。
本実施形態に係る血液浄化装置は、第１の実施形態と同様、血液透析治療を行うための透析装置から成り、図６、７に示すように、動脈側血液回路１及び静脈側血液回路２から成る血液回路と、ダイアライザ３（血液浄化手段）と、しごき型の血液ポンプ４と、動脈側エアトラップチャンバ５と、静脈側エアトラップチャンバ６と、複式ポンプ７（透析液用ポンプ）と、制御手段１１とから主に構成されている。なお、先の実施形態と同様の構成要素には、同一の符号を付すこととし、それらの詳細な説明を省略する。
【００５８】
本実施形態においては、連結ラインＬ８の途中の部位と動脈側エアトラップチャンバ５（上部の空気層側）との間に補液ラインＬ９が接続されるとともに、当該補液ラインＬ９の途中には、補液ポンプ１２が配設されている。かかる補液ポンプ１２は、血液ポンプ４と同様、しごき型ポンプから成り、正転駆動させると（図６参照）、透析液導入ラインＬ１の透析液を動脈側エアトラップチャンバ５に供給させるとともに、逆転駆動させると（図７参照）、動脈側エアトラップチャンバ５内の液体（透析液）を透析液導入ラインＬ１に供給させ得るよう構成されている。
【００５９】
ここで、本実施形態に係る制御手段１１は、第１の実施形態と同様、血液ポンプ４又は複式ポンプ７の駆動、及び弁手段（電磁弁Ｖ１〜Ｖ９）の開閉動作を制御することにより、プライミング時、ダイアライザ３の中空糸膜Ｍ（血液浄化膜）を介して血液流路αから透析液流路βに透析液を濾過させる正濾過工程と、ダイアライザ３の中空糸膜Ｍ（血液浄化膜）を介して透析液流路βから血液流路αに透析液を濾過させる逆濾過工程とを行わせるものとされている。
【００６０】
本実施形態によれば、正濾過工程時、連結ラインＬ８を介して透析液導入ラインＬ１の透析液を血液回路に供給するので、プライミング時、透析液を用いた正濾過（血液流路αから透析液流路βへの濾過）を円滑かつ確実に行わせることができる。また、連結ラインＬ８により、プライミング時の正濾過工程を行わせることができるとともに、治療時において、透析液導入ラインＬ１の透析液を血液回路側に供給させることができる。
【００６１】
次に、第２の実施形態に係る制御手段１１の制御について、図８のフローチャートに基づいて説明する。
治療前のプライミング時、先ず、動脈側血液回路１の先端のコネクタａと静脈側血液回路２の先端のコネクタｂとを接続して互いの流路を連通させる。そして、複式ポンプ７や血液ポンプ４、或いは補液ポンプ１２等の駆動により、連結ラインＬ８又は補液ラインＬ９を介して透析液導入ラインＬ１の透析液を血液回路に供給させて、当該血液回路及びダイアライザ３の血液流路αに対して透析液を充填させ、続いて、ダイアライザ３の透析液流路βに対しても透析液を充填させる。
【００６２】
なお、血液回路及びダイアライザ３の血液流路αに対する透析液の供給及び充填は、連結ラインＬ８等を介して透析液を供給するものに限らず、例えばダイアライザ３の中空糸膜Ｍを逆濾過させた透析液を供給及び充填させるものとしてもよい。また、例えば動脈側血液回路１における血液ポンプ４と電磁弁Ｖ１との間にプライミング液としての生理食塩液を供給可能な収容バッグを備え、当該生理食塩液を血液回路に充填させるようにしてもよい。
【００６３】
その後、制御手段１１による制御で、図６に示すように、電磁弁Ｖ１〜Ｖ４を開状態、その他の電磁弁（Ｖ５〜Ｖ９）を閉状態とするとともに、複式ポンプ７を駆動させつつ血液ポンプ４を正転駆動（治療時と同一方向の駆動）及び補液ポンプ１２を正転駆動させることにより、透析液導入ラインＬ１の透析液を動脈側エアトラップチャンバ５を介して血液回路に供給する。これにより、ダイアライザ３の中空糸膜Ｍ（血液浄化膜）を介して血液流路αから透析液流路βに透析液を濾過する正濾過工程が行われる（Ｓ１）。
【００６４】
そして、上記の如き正濾過が所定時間行われたか否か、或いは補液ポンプ１２が所定回転したか否かが判定され（Ｓ２）、所定時間経過又は所定回転したと判定されると、Ｓ３へ進む。かかるＳ３においては、制御手段１１による制御で、図７に示すように、電磁弁Ｖ１〜Ｖ９の開閉状態及び複式ポンプ７並びに血液ポンプ４の駆動状態を維持するとともに、補液ポンプ１２を逆転駆動させることにより、血液回路内の透析液を動脈側エアトラップチャンバ５を介して透析液導入ラインＬ１に供給する。これにより、ダイアライザ３の中空糸膜Ｍ（血液浄化膜）を介して透析液を透析液流路βから血液流路αに濾過する逆濾過工程が行われる。
【００６５】
その後、上記の如き逆濾過が所定時間行われたか否か、或いは補液ポンプ１２が所定回転したか否かが判定され（Ｓ４）、所定時間経過又は所定回転したと判定されると、Ｓ５へ進む。かかるＳ５においては、正濾過工程Ｓ１及び逆濾過工程Ｓ３が所定回数行われたか否か判定され、所定回数行われていないと判定されると、Ｓ１に戻って正濾過工程及び逆濾過工程が再び行われるとともに、所定回数行われたと判定されると、一連のプライミングを終了させる。これにより、プライミング時、正濾過工程Ｓ１と逆濾過工程Ｓ３とが、所定回数、交互に繰り返し行われることとなる。
【００６６】
上記実施形態においては、プライミング時、正濾過工程Ｓ１に加え、逆濾過工程Ｓ３を行うものとされているが、正濾過工程Ｓ１のみを行うものとし、逆濾過工程Ｓ３を行わないものとしてもよい。また、上記実施形態においては、正濾過工程Ｓ１と逆濾過工程Ｓ３とが所定回数繰り返し行われるものとされているが、正濾過工程Ｓ１及び逆濾過工程Ｓ３が１回ずつ行われるものとしてもよい。なお、正濾過工程Ｓ１及び逆濾過工程Ｓ３のとき、血液ポンプ４は停止していてもよい。
【００６７】
次に、本発明の第３の実施形態に係る血液浄化装置について説明する。
本実施形態に係る血液浄化装置は、第１、２の実施形態と同様、血液透析治療を行うための透析装置から成り、図９、１０に示すように、動脈側血液回路１及び静脈側血液回路２から成る血液回路と、ダイアライザ３（血液浄化手段）と、しごき型の血液ポンプ４と、動脈側エアトラップチャンバ５と、静脈側エアトラップチャンバ６と、給液ポンプ１３及び排液ポンプ１４（透析液用ポンプ）と、制御手段１１とから主に構成されている。なお、先の実施形態と同様の構成要素には、同一の符号を付すこととし、それらの詳細な説明を省略する。
【００６８】
本実施形態においては、透析液導入ラインＬ１に給液ポンプ１３が配設されるとともに、透析液排出ラインＬ２に排液ポンプ１４が配設されており、これら給液ポンプ１３及び排液ポンプ１４が互いに独立して駆動可能とされている。なお、本実施形態に係る給液ポンプ１３及び排液ポンプ１４は、モータの駆動により往復動するプランジャを具備し、当該プランジャがポンプ室を広げる方向に移動することにより当該ポンプ室に透析液を吸入する吸入工程と、当該プランジャがポンプ室を狭める方向に移動することにより当該ポンプ室の透析液を吐出する吐出工程とを連続的に行わせるものとされている。
【００６９】
さらに、本実施形態においては、給液ポンプ１３が吐出工程かつ排液ポンプ１４が吸入工程とされた状態と、給液ポンプ１３が吸入工程かつ排液ポンプ１４が吐出工程とされた状態とが繰り返し交互になされるよう、当該給液ポンプ１３及び排液ポンプ１４による透析液の吐出タイミング（吐出周期の位相）が調整されている。なお、上記の如き吐出工程と吸入工程とを有するプランジャ型の給液ポンプ１３及び排液ポンプ１４に代えて、他の汎用的な形態のポンプ（但し、互いに独立して駆動可能なポンプ）を透析液導入ラインＬ１及び透析液排出ラインＬ２のぞれぞれに配設するようにしてもよい。
【００７０】
ここで、本実施形態に係る制御手段１１は、第１、２の実施形態と同様、給液ポンプ１３及び排液ポンプ１４の駆動、及び弁手段（電磁弁Ｖ１〜Ｖ７、Ｖ９）の開閉動作を制御することにより、プライミング時、ダイアライザ３の中空糸膜Ｍ（血液浄化膜）を介して血液流路αから透析液流路βに透析液を濾過させる正濾過工程と、ダイアライザ３の中空糸膜Ｍ（血液浄化膜）を介して透析液流路βから血液流路αに透析液を濾過させる逆濾過工程とを行わせるものとされている。
【００７１】
次に、第３の実施形態に係る制御手段１１の制御について、図１１のフローチャートに基づいて説明する。
治療前のプライミング時、先ず、動脈側血液回路１の先端のコネクタａと静脈側血液回路２の先端のコネクタｂとを接続して互いの流路を連通させる。そして、給液ポンプ１３又は排液ポンプ１４や血液ポンプ４等の駆動により、透析液導入ラインＬ１の透析液を血液回路に供給させて、当該血液回路及びダイアライザ３の血液流路αに対して透析液を充填させ、続いて、ダイアライザ３の透析液流路βに対しても透析液を充填させる。
【００７２】
なお、血液回路及びダイアライザ３の血液流路αに対する透析液の供給及び充填は、例えばダイアライザ３の中空糸膜Ｍを逆濾過させた透析液を供給及び充填させるものとしてもよい。また、例えば動脈側血液回路１における血液ポンプ４と電磁弁Ｖ１との間にプライミング液としての生理食塩液を供給可能な収容バッグを備え、当該生理食塩液を血液回路に充填させるようにしてもよい。
【００７３】
その後、制御手段１１による制御で、図９、１０に示すように、電磁弁Ｖ１〜Ｖ４を開状態、その他の電磁弁（Ｖ５〜Ｖ７、Ｖ９）を閉状態とするとともに、給液ポンプ１３及び排液ポンプ１４を上述の如き所定の位相による周期にて駆動させる。しかるに、給液ポンプ１３が吸引工程かつ排液ポンプ１４が吐出工程の状態のとき（図９参照）、透析液流路βが血液流路αより負圧になることから、ダイアライザ３の中空糸膜Ｍ（血液浄化膜）を介して血液流路αから透析液流路βに透析液を濾過する正濾過工程が行われる（Ｓ１）とともに、給液ポンプ１３が吐出工程かつ排液ポンプ１４が吸引工程の状態のとき（図１０参照）、透析液流路βが血液流路αより正圧になることから、ダイアライザ３の中空糸膜Ｍ（血液浄化膜）を介して透析液流路βから血液流路αに透析液を濾過する逆濾過工程が行われる（Ｓ２）。
【００７４】
そして、上記の如き給液ポンプ１３及び排液ポンプ１４の駆動による正濾過工程及び逆濾過工程が所定回数行われたか否か、或いは当該正濾過工程及び逆濾過工程が所定時間行われたか否かが判定され（Ｓ３）、所定回数行われ又は所定時間経過したと判定されると、一連のプライミングを終了させる。これにより、プライミング時、正濾過工程Ｓ１と逆濾過工程Ｓ２とが、所定回数、交互に繰り返し行われることとなる。なお、本実施形態においては、プライミング時、血液ポンプ４が停止した状態とされているが、例えば電磁弁Ｖ１、Ｖ２を開状態としつつ血液ポンプ４を駆動させるようにしてもよい。
【００７５】
上記実施形態においては、最初に給液ポンプ１３が吸引工程かつ排液ポンプ１４が吐出工程の状態とされた後、給液ポンプ１３が吐出工程かつ排液ポンプ１４が吸引工程の状態となるように状態の順番が調整されているが、最初に給液ポンプ１３が吐出工程かつ排液ポンプ１４が吸引工程の状態とされた後、給液ポンプ１３が吸引工程かつ排液ポンプ１４が吐出工程の状態となるよう状態の順番を調整してもよい。なお、最初に給液ポンプ１３が吐出工程かつ排液ポンプ１４が吸引工程の状態とする場合は、動脈側エアトラップチャンバ５若しくは静脈側エアトラップチャンバ６の液面を下げておくか、または当該動脈側エアトラップチャンバ５若しくは静脈側エアトラップチャンバ６を収縮させておくのが好ましい。
【００７６】
次に、本発明の第４の実施形態に係る血液浄化装置について説明する。
本実施形態に係る血液浄化装置は、第１〜３の実施形態と同様、血液透析治療を行うための透析装置から成り、図１２に示すように、動脈側血液回路１及び静脈側血液回路２から成る血液回路と、ダイアライザ３（血液浄化手段）と、しごき型の血液ポンプ４と、動脈側エアトラップチャンバ５と、静脈側エアトラップチャンバ６と、複式ポンプ７（透析液用ポンプ）と、制御手段１１とから主に構成されている。なお、先の実施形態と同様の構成要素には、同一の符号を付すこととし、それらの詳細な説明を省略する。
【００７７】
本実施形態においては、制御手段１１によって行われる正濾過及び逆濾過の濾過タイミングに応じて、所定量の透析液を収容させるとともに、その収容した透析液を吐出させ得るバッファ手段１５を具備している。本実施形態に係るバッファ手段１５は、透析液排出ラインＬ２における電磁弁Ｖ４と、バイパスラインＬ６との連結部との間に接続されるとともに、透析液排出ラインＬ２の透析液を収容又は吐出させ得るチャンバを有した例えば収縮及び拡張可能な可撓性部材から成るものである。
【００７８】
しかして、複式ポンプ７が駆動して透析液排出ラインＬ２から透析液が排出される過程において、複式ポンプ７の吐出側（透析液排出ラインＬ２との接続部）が透析液を吸い込む際、バッファ手段１５内に所定量の透析液が収容されるとともに、複式ポンプ７の吐出側（透析液排出ラインＬ２との接続部）が透析液を吐出する際、バッファ手段１５内に収容された透析液が吐出されるよう構成されている。これにより、複式ポンプ７を駆動させると、バッファ手段１５内に透析液が収容する状態と、その収容された透析液を吐出する状態とが繰り返し行われることとなる。
【００７９】
ここで、本実施形態に係る制御手段１１は、第１〜３の実施形態と同様、複式ポンプ７の駆動及び弁手段（電磁弁Ｖ１〜Ｖ７、Ｖ９）の開閉動作を制御することにより、プライミング時、ダイアライザ３の中空糸膜Ｍ（血液浄化膜）を介して血液流路αから透析液流路βに透析液を濾過させる正濾過工程と、ダイアライザ３の中空糸膜Ｍ（血液浄化膜）を介して透析液流路βから血液流路αに透析液を濾過させる逆濾過工程とを行わせるものとされている。
【００８０】
次に、第４の実施形態に係る制御手段１１の制御について、図１３のフローチャートに基づいて説明する。
治療前のプライミング時、先ず、動脈側血液回路１の先端のコネクタａと静脈側血液回路２の先端のコネクタｂとを接続して互いの流路を連通させる。そして、複式ポンプ７や血液ポンプ４等の駆動により、透析液導入ラインＬ１の透析液を血液回路に供給させて、当該血液回路及びダイアライザ３の血液流路αに対して透析液を充填させ、続いて、ダイアライザ３の透析液流路βに対しても透析液を充填させる。
【００８１】
なお、血液回路及びダイアライザ３の血液流路αに対する透析液の供給及び充填は、例えばダイアライザ３の中空糸膜Ｍを逆濾過させた透析液を供給及び充填させるものとしてもよい。また、例えば動脈側血液回路１における血液ポンプ４と電磁弁Ｖ１との間にプライミング液としての生理食塩液を供給可能な収容バッグを備え、当該生理食塩液を血液回路に充填させるようにしてもよい。
【００８２】
その後、制御手段１１による制御で、図１２に示すように、電磁弁Ｖ１〜Ｖ４を開状態、その他の電磁弁（Ｖ５〜Ｖ７、Ｖ９）を閉状態とするとともに、複式ポンプ７を駆動させる。しかるに、複式ポンプ７の駆動過程において、当該複式ポンプ７の吐出側（透析液排出ラインＬ２との接続部）が透析液を吐出する際、バッファ手段１５内に収容された透析液が下流側（複式ポンプ７側）に吐出されるので、ダイアライザ３の中空糸膜Ｍ（血液浄化膜）を介して血液流路αから透析液流路βに透析液を濾過する正濾過工程が行われるとともに、複式ポンプ７の吐出側（透析液排出ラインＬ２との接続部）が透析液を吸い込む際、バッファ手段１５内に所定量の透析液が収容されるので、ダイアライザ３の中空糸膜Ｍ（血液浄化膜）を介して透析液流路βから血液流路αに透析液を濾過する逆濾過工程が行われる（Ｓ１）。
【００８３】
そして、複式ポンプ７の駆動が所定時間行われたか否か、或いは上記の如きバッファ手段１５による正濾過工程及び逆濾過工程が所定回数行われたか否かが判定され（Ｓ２）、所定時間経過又は所定回数行われたと判定されると、一連のプライミングを終了させる。これにより、プライミング時、正濾過工程と逆濾過工程とが、所定回数、交互に繰り返し行われることとなる。なお、本実施形態においては、プライミング時、血液ポンプ４が停止した状態とされているが、例えば電磁弁Ｖ１、Ｖ２を開状態としつつ血液ポンプ４を駆動させるようにしてもよい。
【００８４】
上記実施形態によれば、正濾過工程の濾過タイミングに応じて、所定量の透析液を収容させるとともに、その収容した透析液を吐出させ得るバッファ手段１５を具備したので、複式ポンプ７（透析液用ポンプ）や血液ポンプ４等の駆動を一定に保ちつつ、当該バッファ手段１５の作用によって、正濾過工程と逆濾過工程とを交互に繰り返し行わせることができる。
【００８５】
次に、本発明の第５の実施形態に係る血液浄化装置について説明する。
本実施形態に係る血液浄化装置は、第１〜４の実施形態と同様、血液透析治療を行うための透析装置から成り、図１４、１５に示すように、動脈側血液回路１及び静脈側血液回路２から成る血液回路と、ダイアライザ３（血液浄化手段）と、しごき型の血液ポンプ４と、動脈側エアトラップチャンバ５と、静脈側エアトラップチャンバ６と、複式ポンプ７（透析液用ポンプ）と、制御手段１１とから主に構成されている。なお、先の実施形態と同様の構成要素には、同一の符号を付すこととし、それらの詳細な説明を省略する。
【００８６】
本実施形態においては、除水ポンプ８が正転駆動及び逆転駆動可能とされている。そして、複式ポンプ７が駆動した状態にて、除水ポンプ８が正転駆動すると（図１４参照）、治療時における除水時と同様、ダイアライザ３の中空糸膜Ｍ（血液浄化膜）を介して血液流路αから透析液流路βに透析液を濾過させる正濾過が行われるとともに、除水ポンプ８が逆転駆動すると（図１５参照）、ダイアライザ３の中空糸膜Ｍ（血液浄化膜）を介して透析液流路βから血液流路αに透析液を濾過させる逆濾過が行われるようになっている。
【００８７】
また、本実施形態においては、動脈側血液回路１における血液ポンプ４と電磁弁Ｖ１との間には、プライミング液としての生理食塩液を供給可能な収容バッグ１６が接続されている。かかる収容バッグ１６は、生理食塩液の収容の他、プライミング時、血液回路に透析液が供給される際、或いは血液回路から液体（透析液）が導出する際に、当該血液回路内の圧力変化を吸収するためのバッファとしての機能を有しているとともに、動脈側エアトラップチャンバ５及び静脈側エアトラップチャンバ６も、同様のバッファ機能を有するようになっている。
【００８８】
ここで、本実施形態に係る制御手段１１は、第１〜４の実施形態と同様、複式ポンプ７の駆動、及び弁手段（電磁弁Ｖ１〜Ｖ７、Ｖ９）の開閉動作を制御することにより、プライミング時、ダイアライザ３の中空糸膜Ｍ（血液浄化膜）を介して血液流路αから透析液流路βに透析液を濾過させる正濾過工程と、ダイアライザ３の中空糸膜Ｍ（血液浄化膜）を介して透析液流路βから血液流路αに透析液を濾過させる逆濾過工程とを行わせるものとされている。
【００８９】
次に、第５の実施形態に係る制御手段１１の制御について、図１６のフローチャートに基づいて説明する。
治療前のプライミング時、先ず、動脈側血液回路１の先端のコネクタａと静脈側血液回路２の先端のコネクタｂとを接続して互いの流路を連通させる。そして、複式ポンプ７や血液ポンプ４等の駆動により、透析液導入ラインＬ１の透析液を血液回路に供給させて、当該血液回路及びダイアライザ３の血液流路αに対して透析液を充填させ、続いて、ダイアライザ３の透析液流路βに対しても透析液を充填させる。
【００９０】
なお、血液回路及びダイアライザ３の血液流路αに対する透析液の供給及び充填は、例えばダイアライザ３の中空糸膜Ｍを逆濾過させた透析液を供給及び充填させるものとしてもよい。また、収容バッグ１６内の生理食塩液を血液回路及びダイアライザ３の血液流路αに対して供給及び充填させるようにしてもよい。
【００９１】
その後、制御手段１１による制御で、図１４に示すように、電磁弁Ｖ１〜Ｖ４を開状態、その他の電磁弁（Ｖ５〜Ｖ７、Ｖ９）を閉状態とするとともに、複式ポンプ７を駆動させつつ除水ポンプ８を正転駆動させる。これにより、ダイアライザ３の中空糸膜Ｍ（血液浄化膜）を介して血液流路αから透析液流路βに透析液を濾過する正濾過工程が行われる（Ｓ１）。
【００９２】
そして、上記の如き正濾過が所定時間行われたか否か、或いは血液ポンプ４が所定回転したか否かが判定され（Ｓ２）、所定時間経過又は所定回転したと判定されると、Ｓ３へ進む。かかるＳ３においては、制御手段１１による制御で、図１５に示すように、電磁弁Ｖ１〜Ｖ９の開閉状態及び複式ポンプ７並びに血液ポンプ４の駆動状態を維持するとともに、除水ポンプ８を逆転駆動させる。これにより、ダイアライザ３の中空糸膜Ｍ（血液浄化膜）を介して透析液を透析液流路βから血液流路αに濾過する逆濾過工程が行われる。
【００９３】
その後、上記の如き逆濾過が所定時間行われたか否か、或いは血液ポンプ４が所定回転したか否かが判定され（Ｓ４）、所定時間経過又は所定回転したと判定されると、Ｓ５へ進む。かかるＳ５においては、正濾過工程Ｓ１及び逆濾過工程Ｓ３が所定回数行われたか否か判定され、所定回数行われていないと判定されると、Ｓ１に戻って正濾過工程及び逆濾過工程が再び行われるとともに、所定回数行われたと判定されると、一連のプライミングを終了させる。これにより、プライミング時、正濾過工程Ｓ１と逆濾過工程Ｓ３とが、所定回数、交互に繰り返し行われることとなる。
【００９４】
上記実施形態においては、プライミング時、正濾過工程Ｓ１に加え、逆濾過工程Ｓ３を行うものとされているが、正濾過工程Ｓ１のみを行うものとし、逆濾過工程Ｓ３を行わないものとしてもよい。また、上記実施形態においては、正濾過工程Ｓ１と逆濾過工程Ｓ３とが所定回数繰り返し行われるものとされているが、正濾過工程Ｓ１及び逆濾過工程Ｓ３が１回ずつ行われるものとしてもよい。なお、正濾過工程Ｓ１及び逆濾過工程Ｓ３のとき、血液ポンプ４は停止していてもよい。
【００９５】
上記第１〜５の実施形態によれば、プライミング時、ダイアライザ３（血液浄化手段）の中空糸膜Ｍ（血液浄化膜）を介して血液流路αから透析液流路βに透析液を濾過させる正濾過工程を行わせるので、透析液をプライミング液として使用することでプライミング工程の自動化を図り易くすることができ、かつ、プライミングを短時間で行わせることができるとともに、中空糸膜Ｍの微小な孔（ポア）の開口縁部の保護剤を効率よく除去することができ、中空糸膜Ｍの洗浄をより確実に行わせることができる。
【００９６】
また、血液浄化手段（本実施形態のダイアライザ３）の血液浄化膜は、内部が血液流路αかつ外部が透析液流路βとされるとともに、外周面と内周面とを貫通した微小な孔（ポア）が多数形成された中空糸膜Ｍから成るので、当該中空糸膜Ｍの洗浄をより確実に行わせることができる。さらに、血液ポンプ４又は透析液用ポンプ（複式ポンプ７、又は給液ポンプ１３及び排液ポンプ１４）の駆動、及び弁手段（電磁弁Ｖ１〜Ｖ９）の開閉動作を制御して正濾過工程を行わせるので、プライミング工程の自動化をより容易に図ることができる。
【００９７】
またさらに、上記第１〜５の実施形態に係る制御手段１１は、プライミング時、正濾過工程に加え、逆濾過工程を行わせるよう構成されているので、正濾過工程と逆濾過工程とで血液浄化膜（中空糸膜Ｍ）に対する透析液の濾過方向を異ならせることができ、当該血液浄化膜（中空糸膜Ｍ）に形成された微小な孔の洗浄をより確実に行わせることができるとともに、当該微小な孔内の空気を確実に除去させることができる。
【００９８】
また、上記第１〜５の実施形態に係る制御手段１１は、正濾過工程と逆濾過工程とを、所定回数、交互に繰り返し行わせるものとされているので、血液浄化膜（中空糸膜Ｍ）に形成された微小な孔の洗浄を繰り返し行わせることができ、より一層確実に行わせることができるとともに、当該微小な孔内の空気をより確実に除去させることができる。なお、プライミング時、最初に正濾過工程を行った後、逆濾過工程を行う順番が好ましいが、最初に逆濾過工程を行った後、正濾過工程を行う順番としてもよい。
【００９９】
以上、本実施形態について説明したが、本発明はこれらに限定されるものではなく、例えば、プライミング時、ダイアライザ３（血液浄化手段）の中空糸膜Ｍ（血液浄化膜）を介して血液流路αから透析液流路βに透析液を濾過させる正濾過工程のみを行わせるものとし、ダイアライザ３（血液浄化手段）の中空糸膜Ｍ（血液浄化膜）を介して透析液流路βから血液流路αに透析液を濾過させる逆濾過工程を行わせないものとしてもよい。
【０１００】
また、第１、２の本実施形態に係る連結ラインＬ８は、透析液導入ラインＬ１と血液回路とを連結しているが、これに代えて、透析液排出ラインＬ２と血液回路（動脈側血液回路１に限らず、静脈側血液回路２の所定部位であってもよい）とを連結するものとしてもよい。この場合、制御手段１１は、正濾過工程時、当該連結ラインＬ８を介して透析液排出ラインＬ２の透析液を血液回路に供給可能とされる。
【０１０１】
さらに、適用される血液回路は、動脈側血液回路１に動脈側エアトラップチャンバ５が接続されていないもの（すなわち、静脈側血液回路２のみに静脈側エアトラップチャンバ６が接続されたもの）、或いはＴ字管等の接続手段を介して種々の副ラインが接続されたもの等であってもよい。なお、本実施形態においては、透析治療時に用いられる血液透析装置に適用しているが、患者の血液を体外循環させつつ浄化し得る他の装置（例えば血液濾過透析法、血液濾過法、ＡＦＢＦで使用される血液浄化装置、血漿吸着装置など）に適用してもよい。
【産業上の利用可能性】
【０１０２】
プライミング時、血液浄化手段の血液浄化膜を介して血液流路から透析液流路に透析液を濾過させる正濾過工程を行わせる血液浄化装置及びそのプライミング方法であれば、他の形態及び用途のものにも適用することができる。
【符号の説明】
【０１０３】
１  動脈側血液回路
２  静脈側血液回路
３  ダイアライザ（血液浄化手段）
４  血液ポンプ
５  動脈側エアトラップチャンバ
６  静脈側エアトラップチャンバ
７  複式ポンプ（透析液用ポンプ）
８  除水ポンプ
９ａ、９ｂ  濾過フィルタ
１０  採取ポート
１１  制御手段
１２  補液ポンプ
１３  給液ポンプ（透析液用ポンプ）
１４  排液ポンプ（透析液用ポンプ）
１５  バッファ手段
１６  収容バッグ
Ｌ１  透析液導入ライン
Ｌ２  透析液排出ライン
Ｌ８  連結ライン
Ｌ９  補液ライン
Ｍ  中空糸膜（血液浄化膜）
α  血液流路
β  透析液流路
【図１】
2013248334.tif 000003
【図２】
2013248334.tif 000004
【図３】
2013248334.tif 000005
【図４】
2013248334.tif 000006
【図５】
2013248334.tif 000007
【図６】
2013248334.tif 000008
【図７】
2013248334.tif 000009
【図８】
2013248334.tif 000010
【図９】
2013248334.tif 000011
【図１０】
2013248334.tif 000012
【図１１】
2013248334.tif 000013
【図１２】
2013248334.tif 000014
【図１３】
2013248334.tif 000015
【図１４】
2013248334.tif 000016
【図１５】
2013248334.tif 000017
【図１６】
2013248334.tif 000018
【手続補正書】
【提出日】平成25年8月23日(2013.8.23)
【手続補正１】
【補正対象書類名】明細書
【補正対象項目名】０００８
【補正方法】変更
【補正の内容】
【０００８】
本発明は、このような事情に鑑みてなされたもので、プライミングを短時間で行わせることができるとともに、血液浄化膜の洗浄をより確実に行わせることができる血液浄化装置及びそのプライミング方法を提供することにある。
【手続補正２】
【補正対象書類名】明細書
【補正対象項目名】０００９
【補正方法】変更
【補正の内容】
【０００９】
請求項１記載の発明は、動脈側血液回路及び静脈側血液回路から成るとともに、当該動脈側血液回路の先端から静脈側血液回路の先端まで患者の血液を体外循環させ得る血液回路と、該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、該血液浄化手段の透析液流路の入口及び出口に接続された透析液導入ライン及び透析液排出ラインと、前記透析液導入ライン又は透析液排出ラインと前記血液回路とを連結、又は生理食塩液を収容可能な収容バッグと前記血液回路とを連結する連結ラインとを具備した血液浄化装置において、プライミング時、前記透析液導入ライン若しくは透析液排出ラインの透析液、又は収容バッグ内の生理食塩液を前記連結ラインを介して前記血液回路に供給した後、その供給された透析液又は生理食塩液を、前記血液浄化手段の血液浄化膜を介して前記血液流路から透析液流路に濾過させることによって、前記血液浄化膜の微小な孔の開口縁部に塗布された保護剤を前記透析液流路側に排出させ得る正濾過工程を行わせる制御手段を具備したことを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項４記載の発明は、請求項１〜３の何れか１つに記載の血液浄化装置において、前記制御手段は、プライミング時、前記正濾過工程の後、前記血液浄化手段の血液浄化膜を介して前記透析液流路から血液流路に透析液を濾過させる逆濾過工程を行わせることを特徴とする。
【手続補正５】
【補正対象書類名】明細書
【補正対象項目名】００１４
【補正方法】変更
【補正の内容】
【００１４】
請求項５記載の発明は、請求項４記載の血液浄化装置において、前記制御手段は、プライミング時、前記正濾過工程と逆濾過工程とを交互に繰り返し行わせることを特徴とする。
【手続補正６】
【補正対象書類名】明細書
【補正対象項目名】００１５
【補正方法】変更
【補正の内容】
【００１５】
請求項６記載の発明は、請求項５記載の血液浄化装置において、前記制御手段によって行われる正濾過工程の濾過タイミングに応じて、所定量の透析液を収容させるとともに、その収容した透析液を吐出させ得るバッファ手段を具備したことを特徴とする。
【手続補正７】
【補正対象書類名】明細書
【補正対象項目名】００１６
【補正方法】変更
【補正の内容】
【００１６】
請求項７記載の発明は、動脈側血液回路及び静脈側血液回路から成るとともに、当該動脈側血液回路の先端から静脈側血液回路の先端まで患者の血液を体外循環させ得る血液回路と、該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、該血液浄化手段の透析液流路の入口及び出口に接続された透析液導入ライン及び透析液排出ラインと、前記透析液導入ライン又は透析液排出ラインと前記血液回路とを連結、又は生理食塩液を収容可能な収容バッグと前記血液回路とを連結する連結ラインとを具備した血液浄化装置のプライミング方法において、プライミング時、前記透析液導入ライン若しくは透析液排出ラインの透析液、又は収容バッグ内の生理食塩液を前記連結ラインを介して前記血液回路に供給した後、その供給された透析液又は生理食塩液を、前記血液浄化手段の血液浄化膜を介して前記血液流路から透析液流路に濾過させることによって、前記血液浄化膜の微小な孔の開口縁部に塗布された保護剤を前記透析液流路側に排出させ得る正濾過工程を行わせることを特徴とする。
【手続補正８】
【補正対象書類名】明細書
【補正対象項目名】００１７
【補正方法】変更
【補正の内容】
【００１７】
請求項８記載の発明は、請求項７記載の血液浄化装置のプライミング方法において、前記血液浄化手段の血液浄化膜は、内部が血液流路かつ外部が透析液流路とされるとともに、外周面と内周面とを貫通した微小な孔が多数形成された中空糸膜から成ることを特徴とする。
【手続補正９】
【補正対象書類名】明細書
【補正対象項目名】００１８
【補正方法】変更
【補正の内容】
【００１８】
請求項９記載の発明は、請求項７又は請求項８記載の血液浄化装置のプライミング方法において、前記動脈側血液回路に配設された血液ポンプと、前記透析液導入ライン又は透析液排出ラインに配設され、当該透析液導入ライン及び透析液排出ラインにて透析液を送液させるための透析液用ポンプと、前記血液回路、透析液導入ライン又は透析液排出ラインの所定部位に配設され、当該所定部位の流路を任意に閉塞又は開放可能な弁手段とを具備するとともに、前記血液ポンプ又は透析液用ポンプの駆動、及び前記弁手段の開閉動作を制御して前記正濾過工程を行わせることを特徴とする。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
請求項１０記載の発明は、請求項７〜９の何れか１つに記載の血液浄化装置のプライミング方法において、プライミング時、前記正濾過工程の後、前記血液浄化手段の血液浄化膜を介して前記透析液流路から血液流路に透析液を濾過させる逆濾過工程を行わせることを特徴とする。
【手続補正１２】
【補正対象書類名】明細書
【補正対象項目名】００２１
【補正方法】変更
【補正の内容】
【００２１】
請求項１１記載の発明は、請求項１０記載の血液浄化装置のプライミング方法において、プライミング時、前記正濾過工程と逆濾過工程とを交互に繰り返し行わせることを特徴とする。
【手続補正１３】
【補正対象書類名】明細書
【補正対象項目名】００２２
【補正方法】変更
【補正の内容】
【００２２】
請求項１２記載の発明は、請求項１１記載の血液浄化装置のプライミング方法において、前記正濾過工程の濾過タイミングに応じて、所定量の透析液を収容させるとともに、その収容した透析液を吐出させ得るバッファ手段を具備したことを特徴とする。
【手続補正１４】
【補正対象書類名】明細書
【補正対象項目名】００２３
【補正方法】変更
【補正の内容】
【００２３】
請求項１、７の発明によれば、プライミング時、透析液導入ライン若しくは透析液排出ラインの透析液、又は収容バッグ内の生理食塩液を連結ラインを介して血液回路に供給した後、その供給された透析液又は生理食塩液を、血液浄化手段の血液浄化膜を介して血液流路から透析液流路に濾過させることによって、血液浄化膜の微小な孔の開口縁部に塗布された保護剤を透析液流路側に排出させ得る正濾過工程を行わせるので、プライミングを短時間で行わせることができるとともに、血液浄化膜の洗浄をより確実に行わせることができる。
【手続補正１５】
【補正対象書類名】明細書
【補正対象項目名】００２４
【補正方法】変更
【補正の内容】
【００２４】
請求項２、８の発明によれば、血液浄化手段の血液浄化膜は、内部が血液流路かつ外部が透析液流路とされるとともに、外周面と内周面とを貫通した微小な孔が多数形成された中空糸膜から成るので、当該中空糸膜の洗浄をより確実に行わせることができる。
【手続補正１６】
【補正対象書類名】明細書
【補正対象項目名】００２５
【補正方法】変更
【補正の内容】
【００２５】
請求項３、９の発明によれば、血液ポンプ又は透析液用ポンプの駆動、及び弁手段の開閉動作を制御して正濾過工程を行わせるので、プライミング工程の自動化をより容易に図ることができる。
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】変更
【補正の内容】
【００２７】
請求項４、１０の発明によれば、プライミング時、正濾過工程の後、血液浄化手段の血液浄化膜を介して透析液流路から血液流路に透析液を濾過させる逆濾過工程を行わせるので、正濾過工程と逆濾過工程とで血液浄化膜に対する透析液の濾過方向を異ならせることができ、当該血液浄化膜に形成された微小な孔の洗浄をより確実に行わせることができるとともに、当該微小な孔内の空気を確実に除去させることができる。
【手続補正１９】
【補正対象書類名】明細書
【補正対象項目名】００２８
【補正方法】変更
【補正の内容】
【００２８】
請求項５、１１の発明によれば、プライミング時、正濾過工程と逆濾過工程とを交互に繰り返し行わせるので、血液浄化膜に形成された微小な孔の洗浄を繰り返し行わせることができ、より一層確実に行わせることができるとともに、当該微小な孔内の空気をより確実に除去させることができる。
【手続補正２０】
【補正対象書類名】明細書
【補正対象項目名】００２９
【補正方法】変更
【補正の内容】
【００２９】
請求項６、１２の発明によれば、正濾過工程の濾過タイミングに応じて、所定量の透析液を収容させるとともに、その収容した透析液を吐出させ得るバッファ手段を具備したので、透析液用ポンプ等の駆動を一定に保ちつつ、当該バッファ手段の作用によって、正濾過工程と逆濾過工程とを交互に繰り返し行わせることができる。
【手続補正２１】
【補正対象書類名】明細書
【補正対象項目名】００３９
【補正方法】変更
【補正の内容】
【００３９】
図１に示す複式ポンプ７（透析液用ポンプ）は、透析装置本体内で透析液導入ラインＬ１及び透析液排出ラインＬ２に跨って配設され、透析液を送液させるためのポンプから成るとともに、当該透析装置本体には、ダイアライザ３中を流れる患者の血液から水分を除去するための除水ポンプ８が配設されている。なお、透析液導入ラインＬ１の一端は、ダイアライザ３（透析液導入口３ｃ）に接続されるとともに、他端は、所定濃度の透析液を調製する透析液供給装置（不図示）に接続されている。
【手続補正２２】
【補正対象書類名】明細書
【補正対象項目名】００５０
【補正方法】変更
【補正の内容】
【００５０】
しかるに、複式ポンプ７は、透析液導入ラインＬ１との接続部（吸入側）を流れる透析液と、透析液排出ラインＬ２との接続部（吐出側）を流れる透析液とが等量となるよう駆動される構成とされており、かつ、閉回路とされた血液回路内の透析液が透析液導入ラインＬ１側に供給されることにより、血液流路αが透析液流路βに対して負圧となる。しかして、血液ポンプ４の逆転駆動による流量と略等しい透析液が、ダイアライザ３の中空糸膜Ｍ（血液浄化膜）を介して透析液流路βから血液流路αに濾過（逆濾過）されることとなる。これにより、プライミング時、ダイアライザ３の中空糸膜Ｍにおける微小な孔（ポア）に対し、正濾過時とは逆方向の流れで透析液を流通させることができる。
【手続補正２３】
【補正対象書類名】明細書
【補正対象項目名】００５２
【補正方法】変更
【補正の内容】
【００５２】
なお、血液回路及びダイアライザ３の血液流路αに対する透析液の供給及び充填は、連結ラインＬ８を介して透析液を供給するものに限らず、例えば動脈側血液回路１における血液ポンプ４と電磁弁Ｖ１との間にプライミング液としての生理食塩液を供給可能な収容バッグを備え、当該生理食塩液を血液回路に充填させるようにしてもよい。
【手続補正２４】
【補正対象書類名】明細書
【補正対象項目名】００７１
【補正方法】変更
【補正の内容】
【００７１】
次に、第３の実施形態に係る制御手段１１の制御について、図１１のフローチャートに基づいて説明する。
治療前のプライミング時、先ず、動脈側血液回路１の先端のコネクタａと静脈側血液回路２の先端のコネクタｂとを接続して互いの流路を連通させる。そして、例えば動脈側血液回路１における血液ポンプ４と電磁弁Ｖ１との間にプライミング液としての生理食塩液を供給可能な収容バッグを備えるものとし、当該生理食塩液を血液回路及びダイアライザ３の血液流路αに対して充填させ、続いて、ダイアライザ３の透析液流路βに対して透析液を充填させる。
【手続補正２５】
【補正対象書類名】明細書
【補正対象項目名】００７２
【補正方法】削除
【補正の内容】
【手続補正２６】
【補正対象書類名】明細書
【補正対象項目名】００７５
【補正方法】変更
【補正の内容】
【００７５】
上記実施形態においては、最初に給液ポンプ１３が吸引工程かつ排液ポンプ１４が吐出工程の状態とされた後、給液ポンプ１３が吐出工程かつ排液ポンプ１４が吸引工程の状態となるように状態の順番が調整されている。
【手続補正２７】
【補正対象書類名】明細書
【補正対象項目名】００８０
【補正方法】変更
【補正の内容】
【００８０】
次に、第４の実施形態に係る制御手段１１の制御について、図１３のフローチャートに基づいて説明する。
治療前のプライミング時、先ず、動脈側血液回路１の先端のコネクタａと静脈側血液回路２の先端のコネクタｂとを接続して互いの流路を連通させる。そして、例えば動脈側血液回路１における血液ポンプ４と電磁弁Ｖ１との間にプライミング液としての生理食塩液を供給可能な収容バッグを備えるものとし、当該生理食塩液を血液回路及びダイアライザ３の血液流路αに対して充填させ、続いて、ダイアライザ３の透析液流路βに対して透析液を充填させる。
【手続補正２８】
【補正対象書類名】明細書
【補正対象項目名】００８１
【補正方法】削除
【補正の内容】
【手続補正２９】
【補正対象書類名】明細書
【補正対象項目名】００８９
【補正方法】変更
【補正の内容】
【００８９】
次に、第５の実施形態に係る制御手段１１の制御について、図１６のフローチャートに基づいて説明する。
治療前のプライミング時、先ず、動脈側血液回路１の先端のコネクタａと静脈側血液回路２の先端のコネクタｂとを接続して互いの流路を連通させる。そして、収容バッグ１６内の生理食塩液を血液回路及びダイアライザ３の血液流路αに対して供給及び充填させ、続いて、ダイアライザ３の透析液流路βに対して透析液を充填させる。
【手続補正３０】
【補正対象書類名】明細書
【補正対象項目名】００９０
【補正方法】削除
【補正の内容】
【手続補正３１】
【補正対象書類名】明細書
【補正対象項目名】００９８
【補正方法】変更
【補正の内容】
【００９８】
また、上記第１〜５の実施形態に係る制御手段１１は、正濾過工程と逆濾過工程とを、所定回数、交互に繰り返し行わせるものとされているので、血液浄化膜（中空糸膜Ｍ）に形成された微小な孔の洗浄を繰り返し行わせることができ、より一層確実に行わせることができるとともに、当該微小な孔内の空気をより確実に除去させることができる。なお、プライミング時、最初に正濾過工程を行った後、逆濾過工程を行う順番とされている。
【手続補正３２】
【補正対象書類名】明細書
【補正対象項目名】０１０２
【補正方法】変更
【補正の内容】
【０１０２】
プライミング時、前記透析液導入ライン若しくは透析液排出ラインの透析液、又は収容バッグ内の生理食塩液を前記連結ラインを介して前記血液回路に供給した後、その供給された透析液又は生理食塩液を、血液浄化手段の血液浄化膜を介して血液流路から透析液流路に濾過させることによって、前記血液浄化膜の微小な孔の開口縁部に塗布された保護剤を前記透析液流路側に排出させ得る正濾過工程を行わせる血液浄化装置及びそのプライミング方法であれば、他の形態及び用途のものにも適用することができる。
【手続補正３３】
【補正対象書類名】特許請求の範囲
【補正対象項目名】全文
【補正方法】変更
【補正の内容】
【特許請求の範囲】
【請求項１】
動脈側血液回路及び静脈側血液回路から成るとともに、当該動脈側血液回路の先端から静脈側血液回路の先端まで患者の血液を体外循環させ得る血液回路と、
該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、
該血液浄化手段の透析液流路の入口及び出口に接続された透析液導入ライン及び透析液排出ラインと、
前記透析液導入ライン又は透析液排出ラインと前記血液回路とを連結、又は生理食塩液を収容可能な収容バッグと前記血液回路とを連結する連結ラインと、
を具備した血液浄化装置において、
プライミング時、前記透析液導入ライン若しくは透析液排出ラインの透析液、又は収容バッグ内の生理食塩液を前記連結ラインを介して前記血液回路に供給した後、その供給された透析液又は生理食塩液を、前記血液浄化手段の血液浄化膜を介して前記血液流路から透析液流路に濾過させることによって、前記血液浄化膜の微小な孔の開口縁部に塗布された保護剤を前記透析液流路側に排出させ得る正濾過工程を行わせる制御手段を具備したことを特徴とする血液浄化装置。
【請求項２】
前記血液浄化手段の血液浄化膜は、内部が血液流路かつ外部が透析液流路とされるとともに、外周面と内周面とを貫通した微小な孔が多数形成された中空糸膜から成ることを特徴とする請求項１記載の血液浄化装置。
【請求項３】
前記動脈側血液回路に配設された血液ポンプと、
前記透析液導入ライン又は透析液排出ラインに配設され、当該透析液導入ライン及び透析液排出ラインにて透析液を送液させるための透析液用ポンプと、
前記血液回路、透析液導入ライン又は透析液排出ラインの所定部位に配設され、当該所定部位の流路を任意に閉塞又は開放可能な弁手段と、
を具備するとともに、前記制御手段は、前記血液ポンプ又は透析液用ポンプの駆動、及び前記弁手段の開閉動作を制御して前記正濾過工程を行わせ得ることを特徴とする請求項１又は請求項２記載の血液浄化装置。
【請求項４】
前記制御手段は、プライミング時、前記正濾過工程の後、前記血液浄化手段の血液浄化膜を介して前記透析液流路から血液流路に透析液を濾過させる逆濾過工程を行わせることを特徴とする請求項１〜３の何れか１つに記載の血液浄化装置。
【請求項５】
前記制御手段は、プライミング時、前記正濾過工程と逆濾過工程とを交互に繰り返し行わせることを特徴とする請求項４記載の血液浄化装置。
【請求項６】
前記制御手段によって行われる正濾過工程の濾過タイミングに応じて、所定量の透析液を収容させるとともに、その収容した透析液を吐出させ得るバッファ手段を具備したことを特徴とする請求項５記載の血液浄化装置。
【請求項７】
動脈側血液回路及び静脈側血液回路から成るとともに、当該動脈側血液回路の先端から静脈側血液回路の先端まで患者の血液を体外循環させ得る血液回路と、
該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、
該血液浄化手段の透析液流路の入口及び出口に接続された透析液導入ライン及び透析液排出ラインと、
前記透析液導入ライン又は透析液排出ラインと前記血液回路とを連結、又は生理食塩液を収容可能な収容バッグと前記血液回路とを連結する連結ラインと、
を具備した血液浄化装置のプライミング方法において、
プライミング時、前記透析液導入ライン若しくは透析液排出ラインの透析液、又は収容バッグ内の生理食塩液を前記連結ラインを介して前記血液回路に供給した後、その供給された透析液又は生理食塩液を、前記血液浄化手段の血液浄化膜を介して前記血液流路から透析液流路に濾過させることによって、前記血液浄化膜の微小な孔の開口縁部に塗布された保護剤を前記透析液流路側に排出させ得る正濾過工程を行わせることを特徴とする血液浄化装置のプライミング方法。
【請求項８】
前記血液浄化手段の血液浄化膜は、内部が血液流路かつ外部が透析液流路とされるとともに、外周面と内周面とを貫通した微小な孔が多数形成された中空糸膜から成ることを特徴とする請求項７記載の血液浄化装置のプライミング方法。
【請求項９】
前記動脈側血液回路に配設された血液ポンプと、
前記透析液導入ライン又は透析液排出ラインに配設され、当該透析液導入ライン及び透析液排出ラインにて透析液を送液させるための透析液用ポンプと、
前記血液回路、透析液導入ライン又は透析液排出ラインの所定部位に配設され、当該所定部位の流路を任意に閉塞又は開放可能な弁手段と、
を具備するとともに、前記血液ポンプ又は透析液用ポンプの駆動、及び前記弁手段の開閉動作を制御して前記正濾過工程を行わせることを特徴とする請求項７又は請求項８記載の血液浄化装置のプライミング方法。
【請求項１０】
プライミング時、前記正濾過工程の後、前記血液浄化手段の血液浄化膜を介して前記透析液流路から血液流路に透析液を濾過させる逆濾過工程を行わせることを特徴とする請求項７〜９の何れか１つに記載の血液浄化装置のプライミング方法。
【請求項１１】
プライミング時、前記正濾過工程と逆濾過工程とを交互に繰り返し行わせることを特徴とする請求項１０記載の血液浄化装置のプライミング方法。
【請求項１２】
前記正濾過工程の濾過タイミングに応じて、所定量の透析液を収容させるとともに、その収容した透析液を吐出させ得るバッファ手段を具備したことを特徴とする請求項１１記載の血液浄化装置のプライミング方法。